(57)【特許請求の範囲】
【請求項１】
第１および第２無線端末とを有する無線通信システムであって、前記第１および第２無線端末の各々は、所定のファイルを格納するファイル格納手段と、前記ファイル格納手段を特定するＵＲＬを利用して所望のファイルにネットワークを通じてアクセスする手段とを有し、
複数のＵＲＬより成る前記第１無線端末の第１ＵＲＬ集の中からユーザが選択したＵＲＬと、前記第１無線端末における前記ＵＲＬの選択された回数とが、所定の時点で前記第１無線端末から前記第２無線端末に送信され、
前記第２無線端末により受信されたＵＲＬが、複数のＵＲＬより成る前記第２無線端末の第２ＵＲＬ集の中に含まれていない場合、前記第２無線端末は前記ＵＲＬを前記回数と共に前記第２ＵＲＬ集に追加し、
前記所定の時点は、反復的に計測される所定の期間が経過した時点又は前記回数が所定値に達した時点の何れか早い時点である
ことを特徴とする無線通信システム。
【請求項２】
第１および第２無線端末とを有する無線通信システムであって、前記第１および第２無線端末の各々は、所定のファイルを格納するファイル格納手段と、前記ファイル格納手段を特定するＵＲＬを利用して所望のファイルにネットワークを通じてアクセスする手段とを有し、
前記第１無線端末は、複数のＵＲＬより成る私用ＵＲＬ集および複数のＵＲＬより成る第１共用ＵＲＬ集を有し、
第１共用ＵＲＬ集の中からユーザが選択したＵＲＬ及び該ＵＲＬの選択された回数が、所定の時点で前記第１無線端末から前記第２無線端末に送信され、
前記第２無線端末により受信されたＵＲＬが、複数のＵＲＬより成る前記第２無線端末の第２共用ＵＲＬ集の中に含まれていない場合、前記第２無線端末は前記ＵＲＬを前記第２共用ＵＲＬ集に追加し、
前記第１無線端末は、前記私用ＵＲＬ集および前記第１共用ＵＲＬ集の間でＵＲＬを転送させることが可能であり、
前記所定の時点は、反復的に計測される所定の期間が経過した時点又は前記回数が所定値に達した時点の何れか早い時点である
ことを特徴とする無線通信システム。
【請求項３】
所定のファイルを格納するファイル格納手段を特定するＵＲＬを利用して、所望のファイルにネットワークを通じてアクセスすることが可能な無線端末であって：
複数のＵＲＬより成る前記無線端末のＵＲＬ集の中からユーザが選択したＵＲＬと、前記無線端末における前記ＵＲＬの選択された回数とを所定の時点で前記無線端末とは異なる他の無線端末に送信する手段と、
前記他の無線端末から送信されたＵＲＬが、前記ＵＲＬ集に含まれていない場合は、前記他の無線端末から送信された前記ＵＲＬの選択された回数と共に前記ＵＲＬ集に追加する手段と、
を有し、前記所定の時点は、反復的に計測される所定の期間が経過した時点又は前記回数が所定値に達した時点の何れか早い時点である
ことを特徴とする無線端末。
【請求項４】
前記ＵＲＬ集に含まれる複数のＵＲＬの少なくとも一部が、ＵＲＬの選択された回数に基づいて並べられることを特徴とすることを特徴とする請求項３記載の無線端末。
【請求項５】
前記ＵＲＬ集が複数のＵＲＬ集より成り、前記複数のＵＲＬ集の各々は、各自に割り当てられた所定の属性情報により互いに区別されることを特徴とする請求項３記載の無線端末。
【請求項６】
前記他の無線端末から送信されたＵＲＬが、前記ＵＲＬ集に含まれていた場合は、前記ＵＲＬ集における前記ＵＲＬの選択された回数を、受信した回数に合わせることを特徴とする請求項３記載の無線端末。
【請求項７】
所定のファイルを格納するファイル格納手段を特定するＵＲＬを利用して、所望のファイルにネットワークを通じてアクセスすることが可能な無線端末であって：
複数のＵＲＬより成る私用ＵＲＬ集および複数のＵＲＬより成る共用ＵＲＬ集と、
前記共用ＵＲＬ集の中からユーザが選択したＵＲＬ及び該ＵＲＬの選択された回数を所定の時点で前記無線端末とは異なる他の無線端末に送信する手段と、
前記他の無線端末から受信したＵＲＬが、前記共用ＵＲＬ集に含まれていない場合は、前記ＵＲＬを前記共用ＵＲＬ集に追加する手段と、
を有し、前記私用ＵＲＬ集および前記共用ＵＲＬ集の間でＵＲＬは転送可能であり、
前記所定の時点は、反復的に計測される所定の期間が経過した時点又は前記回数が所定値に達した時点の何れか早い時点である
ことを特徴とする無線端末。
【請求項８】
前記共用ＵＲＬ集に含まれる複数のＵＲＬの少なくとも一部が、ＵＲＬの選択された回数に基づいて並べられることを特徴とする請求項７記載の無線端末。
【請求項９】
前記共用ＵＲＬ集が複数のＵＲＬ集より成り、前記複数のＵＲＬ集の各々は、各自に割り当てられた所定の属性情報により互いに区別されることを特徴とする請求項７記載の無線端末。
【発明の詳細な説明】
【０００１】
【発明の属する技術分野】
本発明は、一般にコンピュータ・ネットワークの技術分野に関し、特に無線通信システムおよび無線端末に関する。
【０００２】
【従来の技術】
一般に、この種の技術分野で使用されているネットワーク・システムは、無線端末と、この無線端末がインターネット（またはイントラネット）網を介してアクセスすることの可能なサーバとを有する。サーバには様々なファイルやコンテンツが格納される。このようなサーバは、「サイト」または「ウェブ・ページ」とも呼ばれる。所望のサーバにアクセスするには、ＵＲＬ(Uniform Resource Locator)を利用する必要がある。ＵＲＬは、インターネット上の「オブジェクト(object)」の場所，情報の取得およびプロトコル等に関する情報を示す、英数字および記号等より成る一連の文字列である。したがって、例えば、無線端末のユーザが所望のサーバにアクセスするには、そのサーバのＵＲＬを入力するか、又はＵＲＬのリンクをたどってゆく必要がある。
【０００３】
ＵＲＬの入力に関し、気に入ったサイトや頻繁にアクセスする特定のウェブ・ページのＵＲＬを、ＵＲＬ集に登録しておき、次回のアクセスを容易にする機能が存在する。このＵＲＬ集は、「お気に入り」または「ブックマーク」とも呼ばれている。ＵＲＬ集の編集（ＵＲＬの追加，削除，移動等）は、無線端末のユーザが自ら手作業で行うのが最も直接的な手法である。しかしながら、現在公開されているウェブ・ページ数は非常に多く、利用価値の高いものや低いものが多数存在する。したがって、ＵＲＬ集を個人的に管理していたのでは、利用価値の高いＵＲＬ集を効率的に作成することが困難になり得る。
【０００４】
図１は、この問題を解決するための手法の１つを示す。この手法は、サーバ／クライアント・モデルを用いて、サーバ上でＵＲＬ集を管理し、ＵＲＬ集を共有するものである。この手法で使用されるシステムは、無線端末と、例えばインターネット網であるネットワークを含む。ネットワークには、共有に係るＵＲＬ集を管理するＵＲＬサーバが結合されている。さらにネットワークには、様々なファイルやコンテンツを格納するサーバが接続されている。所望のサーバにアクセスしようとするユーザは、先ず共有のＵＲＬ集のあるＵＲＬサーバにアクセスし、次にＵＲＬ集の中から所望のＵＲＬを選択し、そして目的のサイトへ移行する。ＵＲＬ集はサーバ上で管理されるので、各無線端末のユーザは、個人的にＵＲＬ集を管理する必要はない。しかも、そのＵＲＬ集は複数のユーザによる利用度を反映して管理されるので、ＵＲＬ集を個人的に管理するのに比べて、質の高いＵＲＬ集を適切に作成することが可能になる。しかしながら、このサービスを利用するには、先ず最初にＵＲＬサーバへアクセスしなければならない。したがって、アクセス時間等の観点からは、必ずしも利便性が高くないという問題点がある。特に、消費電力に配慮しなければならないような携帯用無線端末では、アクセス時間の長短は非常に重要な問題である。
【０００５】
【発明が解決しようとする課題】
本願課題は、共用のＵＲＬ集を利用する無線端末のユーザの利便性を向上させることである。
【０００６】
【課題を解決するための手段】
以下に説明する手段によって、上記課題が解決される。
【０００７】
本発明による第１の解決手段によれば、
所定のファイルを格納するファイル格納手段と、前記ファイル格納手段を特定するＵＲＬを利用して所望のファイルにネットワークを通じてアクセスすることが可能な第１および第２無線端末とを有する無線通信システムであって：
複数のＵＲＬより成る前記第１無線端末の第１ＵＲＬ集の中からユーザが選択したＵＲＬと、前記第１無線端末における前記ＵＲＬの選択された回数とを前記第１無線端末から前記第２無線端末に送信させ、
前記第２無線端末により受信されたＵＲＬが、複数のＵＲＬより成る前記第２無線端末の第２ＵＲＬ集の中に含まれていない場合は、前記第２無線端末は前記ＵＲＬを前記回数と共に前記第２ＵＲＬ集に追加する
ことを特徴とする無線通信システムが提供される。
【０００８】
本発明の第２の解決手段によれば、
所定のファイルを格納するファイル格納手段と、前記ファイル格納手段を特定するＵＲＬを利用して所望のファイルにネットワークを通じてアクセスすることが可能な第１および第２無線端末とを有する無線通信システムであって：
前記第１無線端末は、複数のＵＲＬより成る私用ＵＲＬ集および複数のＵＲＬより成る第１共用ＵＲＬ集を有し、
第１共用ＵＲＬ集の中からユーザが選択したＵＲＬを前記第１無線端末から前記第２無線端末に送信させ、
前記第２無線端末により受信されたＵＲＬが、複数のＵＲＬより成る前記第２無線端末の第２共用ＵＲＬ集の中に含まれていない場合は、前記第２無線端末は前記ＵＲＬを前記第２共用ＵＲＬ集に追加し、
前記第１無線端末は、前記私用ＵＲＬ集および前記第１共用ＵＲＬ集の間でＵＲＬを転送させることが可能である
ことを特徴とする無線通信システムが提供される。
【０００９】
本発明による解決手段によれば、第１および第２無線端末の間で各自のＵＲＬ集を互いに更新させるので、共用のＵＲＬ集を管理する専用のＵＲＬサーバを要することなしに、共用のＵＲＬ集を利用および更新することが可能になり、ユーザの利便性を向上させることができる。
【００１０】
本発明の一実施例によれば、ＵＲＬの選択された回数を把握することによって、ＵＲＬの重要度が分かる。さらに、例えば選択された回数が相対的に低いＵＲＬを削除すれば、比較的重要な利用頻度の高いＵＲＬのみを残すことが可能になる。このようにして、ユーザの利便性を向上させることができる。
【００１１】
本発明の一実施例によれば、ＵＲＬの選択された回数に基づいてＵＲＬが並べられるので、例えばＵＲＬ集の上位のＵＲＬは重要なＵＲＬであることが容易に判明するので、ユーザの利便性を向上させることができる。
【００１２】
本発明の一実施例によれば、例えば複数のＵＲＬ集をカテゴリ別に整理して所有することができるので、ユーザの利便性を向上させることができる。
【００１３】
本発明の一実施例によれば、私用のＵＲＬ集と共用のＵＲＬ集とを区別し、ＵＲＬの共有化を行う一方でＵＲＬ情報に関するプライバシーを保護することが可能になるので、ユーザの利便性を向上させることができる。
【００１４】
【発明の実施の形態】
図２は、本発明によるＵＲＬ集の管理手法の概念図を示す。無線端末と、ネットワークと、サーバが描かれてる点は、図１と同様である。しかしながら、本発明による手法は、従来の手法とは異なり、複数のユーザとの間で共有するＵＲＬ集を管理するための専用のＵＲＬサーバを要しない。共有するＵＲＬ集の管理や更新は、無線端末どうして直接的に又はネットワークを介して行われる。各々の無線端末には、共有のＵＲＬ集と全部又は一部が同一のＵＲＬ集が設けられている。所望のサイトへアクセスは、自己のＵＲＬ集の中から所望のＵＲＬを選択することによって行われる。選択されたＵＲＬは、そのＵＲＬの選択された回数等の付随的情報と共に、他の無線端末に伝送される。ＵＲＬおよび付随的情報を受信した他の無線端末は、受信したＵＲＬが自己のＵＲＬ集に包含されているか否かを調べ、包含されていなければその受信したＵＲＬを自己のＵＲＬ集に追加する。既に包含されている場合は、受信したＵＲＬを破棄する。これにより、無線端末同士の間でＵＲＬ集を互いに更新させることが可能になる。
【００１５】
図３は、本願実施例による無線端末３００のブロック図を示す。無線端末３００は、ネットワーク側との無線通信信号を送受信するためのアンテナ３０２と、このアンテナ３０２に結合された送受信部３０４と、送受信部３０４を制御するコントローラ３０６を有する。送受信部３０４は、コントローラ３０６の制御の下で、送受信、変復調、周波数変換、デコード／エンコード、インターリーブ／デインターリーブその他の無線通信を行うための信号処理を行う。無線端末３００は、送受信部３０４およびコントローラ３０６に結合された一次記憶用メモリ３０８を有する。一次記憶用メモリには、他の無線端末に送信すべきＵＲＬ，他の無線端末から受信するＵＲＬ，ＵＲＬを選択した回数等の情報が記憶される。コントローラ３０６には、アプリケーション・メモリ３１０が結合される。アプリケーション・メモリ３１０には、通常の無線端末の有する各種機能を実行させるプログラムに加えて、本発明によるＵＲＬ管理手法を実行させるプログラムが格納されており、これらのプログラムはコントローラ３０６によって適宜使用される。コントローラ３０６にはＵＲＬメモリ３１２が結合される。このＵＲＬメモリ３１２には、他のユーザと共有するＵＲＬ集に加えて、他のユーザと共有しない私用のＵＲＬ集（後述）も格納される。コントローラ３０６には、時間間隔を計測するためのタイマ３１４と、ＵＲＬを選択した回数をカウントする閲覧回数カウンタ３１６が結合される。さらに、コントローラ３０６には、ディスプレイ、スピーカ、ボタン、キー配列等より成るユーザ・インターフェース３１８が結合される。
【００１６】
図４は、図３に示すような無線端末により行われるＵＲＬ集の管理手法を示す。以下、図３および図４を参照しながら、本願実施例によるＵＲＬ集の管理手法を説明する。この例では、無線端末１および無線端末２の間でＵＲＬ集が共有される。無線端末１および２は、図３に示すような構成要素を有しているものとする。ステップ４０２において、無線端末１のユーザが、ＵＲＬメモリ３１２に格納されているＵＲＬ集の中から所望のＵＲＬを選択し、送受信部３０４およびアンテナ３０２を通じてネットワークにアクセスし、最終的にそのＵＲＬにより示されるサイトへアクセスする。このサイトへのアクセスに使用したＵＲＬは、ステップ４０４において、一次記憶メモリ３０８に格納される。
【００１７】
ステップ４０６において、一次記憶メモリ３０８に格納したＵＲＬを選択した回数（閲覧回数）を１つインクリメントする。この閲覧回数の計測は、閲覧回数カウンタ３１６によって行われる。ＵＲＬメモリ３１２に格納されているＵＲＬ集には、複数のＵＲＬが含まれており、その各々のＵＲＬに対する閲覧回数も記憶されている。ユーザによりＵＲＬが選択されると、そのＵＲＬに対応する閲覧回数が１つカウント・アップされるのである。一次記憶メモリ３０８には、使用したＵＲＬに加えて、そのＵＲＬに関連する閲覧回数も格納される。一般に、質の高い情報を提供するサイトは、繰り返し何度も閲覧される。したがって、ＵＲＬに付随する閲覧回数を、そのＵＲＬの利用価値に関連付けることが可能である。
【００１８】
ステップ４０８では、閲覧回数に基づいてＵＲＬ集内のＵＲＬが並べ替えられる。例えば、閲覧回数の多い順に並べることにより、ＵＲＬ集のＵＲＬを利用価値の高いＵＲＬの順に整列させ、ユーザ・インターフェース３１８によりユーザに表示することが可能である。また、閲覧回数の多い上位のいくつかのＵＲＬのみを表示させることも可能である。あるいは、逆に、閲覧回数の少ない順に表示させて、閲覧回数の少ないＵＲＬを削除することも可能である。
【００１９】
ステップ４１０では、送受信部３０４およびアンテナ３０２を介して、一次記憶メモリ３０８に格納されたＵＲＬおよびそのＵＲＬの閲覧回数を、無線端末１以外の端末である無線端末２に送信する。無線端末２の側では、ステップ４１２において、無線端末２のアンテナ３０２および送受信部３０４を通じて、そのＵＲＬと閲覧回数を受信し、一次記憶メモリ３０８に格納する。無線端末１および２の間の通信は、無線端末１から無線端末２へ直接的に行っても良いし、無線端末１からＵＲＬの転送サーバを介して間接的に無線端末２へ伝送するようにしても良い。無線端末１から所望のサイトへのアクセスが直接的であることを条件として、無線端末２への更新情報の伝送は直接的であっても間接的であっても良い。
【００２０】
ステップ４１４において、コントローラ３０６は、受信したＵＲＬが、ＵＲＬメモリ３１２（自身のＵＲＬ集）に含まれているか否かを判別する。含まれていた場合は、ステップ４１６において、受信したＵＲＬに等しいＵＲＬの閲覧回数を、増加させることによって又は直接的に置換することによって、受信した閲覧回数に合わせる。一方、受信したＵＲＬが自身のＵＲＬ集に含まれていなかった場合は、ステップ４１８において、その閲覧回数と共にＵＲＬ集に追加する。
【００２１】
ステップ４２０では、ステップ４０８と同様に、閲覧回数に基づいてＵＲＬ集に含まれているＵＲＬを並べ替える。このようにして、無線端末１におけるＵＲＬ集と無線端末２におけるＵＲＬ集とを更新させることが可能になる。
【００２２】
この実施例では、説明の便宜上、無線端末１が１つのＵＲＬを利用する度にステップ４０２ないし４２０のステップが行われるようなフローになっている。しかしながら、例えば、ステップ４０２からステップ４１０に至るまでのステップを所定期間の間反復して行わせることも可能である。すなわち、タイマ３１４を利用して所定の時間間隔を計測する。その所定の期間の間に複数のＵＲＬを利用した場合には、利用した複数のＵＲＬと、それらのＵＲＬに対応する閲覧回数が一次記憶メモリ３０８に格納される。ステップ４１０における送信時には、その複数のＵＲＬと閲覧回数とをまとめて送信する。これらを受信した無線端末２の側では、複数のＵＲＬの各々について閲覧回数の更新またはＵＲＬの追加を行う。なお、閲覧回数カウンタ３１６を利用して、所定期間内に利用したＵＲＬの閲覧回数をカウントすることが有意義である。例えば、所定期間内に、ＡＡＡで示されるＵＲＬ（ＵＲＬ集における閲覧回数はＮである）を３回使用し、ＢＢＢで示されるＵＲＬ（ＵＲＬ集における閲覧回数はＭである）を１回使用したとする。この場合、一次記憶メモリ３０８には、ＡＡＡ，Ｎ＋１，ＡＡＡ，Ｎ＋２，ＡＡＡ，Ｎ＋３，およびＢＢＢ，Ｍという具合にＵＲＬと閲覧回数が格納され、これら４つのＵＲＬと４つの閲覧回数がステップ４１０で送信される。この場合において、所定期間内に利用したＡＡＡの閲覧回数「３」を利用して、ＡＡＡと、Ｎ＋３と、ＢＢＢと、Ｍとを送信すれば、ＵＲＬ集の更新に必要な情報の総てを無線端末２に伝送することができる。ＵＲＬの情報量は比較的大きいので、このような送信情報の節約は非常に有利である。
【００２３】
また、所定の期間内に利用したＵＲＬを調べる代わりに、ＵＲＬの累積閲覧回数を利用することも可能である。例えば、無線端末１のサイトへのアクセス回数が１０回（累積閲覧回数）に達したならば、その１０回のアクセスに使用したＵＲＬに関する情報を無線端末２に送信するものである。このようにすると、ステップ４１０およびステップ４１２における情報の送受信等に要する処理が常にＵＲＬ１０個分に過ぎないことが保障される。上記のような所定の期間のみを利用するときは、そのような上限を定めることはできないので、伝送する情報量も更新する度に異なる。この累積閲覧回数は、閲覧回数カウンタ３１６を利用して行うことが可能である。さらに、両者を組み合わせることも可能である。例えば、所定の期間が経過する時点と、累積閲覧回数に達する時点の何れか早い時点に基づいて、ステップ４１０の送信を行うことが可能である。このようにすれば、両者の手法の利点を生かすことができる。
【００２４】
さらに、ステップ４０６の閲覧回数のインクリメントは、ステップ４０４の前に行っても良いし、ステップ４０４と同時に行っても良い。ＵＲＬの並べ替え（ステップ４０８）およびＵＲＬ等の送信（ステップ４１０）を行う前であれば良いからである。閲覧回数に基づくＵＲＬの並べ替えのステップ４０８も、ステップ４１０の後に行っても良い。ステップ４０２からステップ４１０までの処理を、所定の期間の間または所定の閲覧回数の間反復させるような場合には、ステップ４０８をその反復ルーチンの外側に位置させる方が好ましい。無線端末１および２の間で、同程度の頻度でＵＲＬ集の並べ替えを行うためである。
【００２５】
次に、ＵＲＬメモリに格納するＵＲＬ集を、共用のための共用ＵＲＬ集と、共用しないで個人的な利用に供する私用ＵＲＬ集とに区別して管理する場合について説明する。上述したように、あるユーザにとって有用なサイトは、そのユーザにより何度も繰り返しアクセスされるので、ＵＲＬやその閲覧回数にはそのユーザの趣向が色濃く反映され得る。したがって、ＵＲＬについてもプライバシー保護の観点から、私用のものと共用のものとを区別することが好ましい。
【００２６】
図５は、私用および共用のＵＲＬ集を管理する１つの手法を示す。これは、ＵＲＬメモリ３１２を階層化して、私用のＵＲＬを格納するための私用フォルダ５０２と、共用のＵＲＬを格納するための共用ＵＲＬ５０４とを設けるものである。私用フォルダ５０２には、ＰＰＰなる名称のＵＲＬが含まれており、このＵＲＬは共用されない。すなわち、このＵＲＬを利用してサイトにアクセスしても、図４に説明したような処理は行われない。共用フォルダ５０４には、ＡＡＡ，ＢＢＢ，ＣＣＣなる名称のＵＲＬが含まれている。これらのうち何れかのＵＲＬを使用してサイトにアクセスすると、図４に説明したような処理が行われる。このようにしてフォルダで管理すると、私用および共用の区別を明確に判別することが可能である。
【００２７】
図６は、私用および共用のＵＲＬ集を管理する他の手法を示す。これは、各ＵＲＬに対して、各自の名称と文字列に加えて、そのＵＲＬが私用であるか共用であるかを示す私用共用属性値を有する。このようにすると、例えば、私用共用属性値を利用して私用のＵＲＬを並べた後に続いて共用のＵＲＬを並べることが可能である。また、私用共用属性値を無視して閲覧回数順に並べることも可能である。さらに、私用共用属性値と閲覧回数を利用して、私用共用属性値で区別されたものの中で閲覧回数の順にＵＲＬを並べることも可能である。
【００２８】
このように私用のＵＲＬと共用のＵＲＬとを区別すると、ＵＲＬの共有化を行う一方でＵＲＬ情報に関するプライバシーを保護することが可能になる。更なる応用例として、私用のＵＲＬ集と共用のＵＲＬ集との間でＵＲＬを転送することが有利である。例えば、新たなＵＲＬを私用のＵＲＬとして登録しておき、利用価値の高いＵＲＬであることが判明した後で、共用のＵＲＬに登録することも可能になる。このようにすると、共用のＵＲＬ集に不適切なＵＲＬが包含されることを抑制し、質の高いＵＲＬ集を効果的に作成することが可能になる。
【００２９】
上記の実施例では、共用のＵＲＬ集は１種類しかなかったが、複数のＵＲＬ集を用意することも有意義である。例えば、ニュースに関する共用ＵＲＬ集、娯楽に関する共用ＵＲＬ集、買い物に関する共用ＵＲＬ集等のような複数のＵＲＬ集を用意することが考えられる。このように複数の共用ＵＲＬ集を設けると、多種多様なユーザの趣向の各々に対応して共用ＵＲＬ集を発展させることが可能になる。さらに、私用ＵＲＬ集の利用態様として、例えば、５つの共用ＵＲＬ集の各々から上位３つのＵＲＬ（５×３＝１５）を私用ＵＲＬ集に登録し、無線端末のディスプレイにはその１５個のＵＲＬが表示されるようにすることが考えられる。このようにすると、様々なユーザの趣向に沿った利用頻度の高いＵＲＬのみをユーザに表示することが可能になる。これも、私用および共用のＵＲＬ集におけるＵＲＬの転送例である。
【００３０】
複数の共用ＵＲＬ集をフォルダで管理する場合は、各ＵＲＬに対してフォルダ属性を割り当てることによって、互いに区別して管理することができる。ＵＲＬの使用共用属性値として管理する場合も、例えば、ニュース共用属性値、娯楽共用属性値、買い物共用属性値のような複数の属性値を用意して、各ＵＲＬに属性値を割り当てることによって、管理することが可能である。図４のステップ４１０，４１２における無線端末１から無線端末２への送信情報は、使用したＵＲＬおよびその閲覧回数に加えて、フォルダ属性（図５）である。これを受信した無線端末２は、例えばステップ４１２の後で、受信したフォルダ属性に一致するフォルダを有するか否かを判別し、有する場合は、ステップ４１４でそのＵＲＬを有するか否かを判別する。該当するフォルダを有しない場合は、そのＵＲＬを破棄する、又は新たにそのフォルダ属性を有するフォルダを作成する。フォルダ属性でなく、ＵＲＬの属性値（図６）が伝送される場合は、そのままステップ４１４でＵＲＬの有無を判別することが可能である。
【００３１】
【発明の効果】
以上のように本発明によれば、共用のＵＲＬ集を利用する無線端末のユーザの利便性を向上させることが可能になる。
【００３２】
【図面の簡単な説明】
【図１】図１は、従来のＵＲＬ集の管理手法の概念図を示す。
【図２】図２は、本発明によるＵＲＬ集の管理手法の概念図を示す。
【図３】図３は、本願実施例による無線端末３００のブロック図を示す。
【図４】図４は、本願実施例によるＵＲＬ集の管理手法のフローチャートを示す。
【図５】図５は、私用および共用のＵＲＬをフォルダで管理する場合の概念図を示す。
【図６】図６は、私用および共用のＵＲＬをＵＲＬ属性値で管理する場合の概念図を示す。
【符号の説明】
３００  無線端末
３０２  アンテナ
３０４  送受信部
３０６  コントローラ
３０８  一次記憶メモリ
３１０  アプリケーション・メモリ
３１２  ＵＲＬメモリ
３１４  タイマ
３１６  閲覧回数カウンタ
３１８  ユーザ・インターフェース
５０２  私用フォルダ
５０４  共用フォルダ
【図１】
0004051219.tif 000002
【図２】
0004051219.tif 000003
【図３】
0004051219.tif 000004
【図４】
0004051219.tif 000005
【図５】
0004051219.tif 000006
【図６】
0004051219.tif 000007